Podtech/llm-jp-corpus-v4-ja_patent huggingface dataset:
(57)【要約】      （修正有）【課題】ローラーとドライヤーを使う作業でも両手がふさがらないようにする。【解決手段】壁紙のジョイント等を押さえ付ける取っ手付きローラーにおいて、ローラーの取っ手を切り捨て、壁紙を温風で暖めて柔らかくするための温風を吹き出すドライヤー本体を、ローラーの取っ手としてローラー本体に取り付けたローラー。ローラー本体からカット部分を切り取りドライヤーの本体からカット部分を切り取りそれらを合体させることにより、片手で作業できるようにした。【選択図】図３
0003138796.tif 000002
【実用新案登録請求の範囲】
【請求項１】
壁紙のジョイント等を押さえ付けるローラーと壁紙を暖めて柔らかくするために用いるドライヤーを合体させる事を考案した。
【考案の詳細な説明】
【技術分野】壁紙のジョイントをローラーで押さえ付ける時に使う道具である。
【背景技術】寒い時期の壁紙（特にビニールクロス）は固くなりジョイントが決まりづらくなります。その時は片方の手でドライヤーを使いもう片方の手でローラーを使い、暖めながら押さえ付けると綺麗にジョイントが決まる。
【考案開示】
【考案が解決しようとする課題】
【０００１】片方の手でドライヤーを使い、もう片方の手でローラーを使うと両手がふさがり作業効率の悪化、安全性の低下という問題があった。
【課題を解決するための手段】
【０００２】ローラーとドライヤーを同時に使う作業でも両手がふさがらないように、ローラーとドライヤーを合体した。具体的（図面を参照のこと）には、ローラー本体１からカット部分Ａ２を切り取りドライヤーの本体３からカット部分Ｂ４を切り取り合体させた。
【考案の効果】
【０００３】ローラーとドライヤーを使う作業でも両手がふさがらず、空いてる手で細やかなジョイントの調整ができるようになり作業効率が向上した。また空いてる手で体のバランスを保つ動作ができるようになり安全性が高まった。
【図面の簡単な説明】
【０００４】
【図１】ローラー本体とカット部分Ａを示した平面図である。
【図２】ドライヤー本体とカット部分Ｂを示した平面図である。
【図３】ローラーとドライヤーを合体させた平面図である。
【符号の説明】
【０００５】１  ローラー本体
２  カット部分Ａ
３  ドライヤー本体
４  カット部分Ｂ
【図１】
0003138796.tif 000003
【図２】
0003138796.tif 000004
【図３】
0003138796.tif 000005
【手続補正書】
【提出日】平成19年5月7日(2007.5.7)
【手続補正１】
【補正対象書類名】実用新案登録請求の範囲
【補正対象項目名】全文
【補正方法】変更
【補正の内容】
【実用新案登録請求の範囲】
【請求項１】
壁紙のジョイント等を押さえ付ける取っ手付きローラーにおいて、壁紙を温風で暖めて柔らかくするために、温風を吹き出すドライヤー本体を、ローラー本体の取っ手との接続部分に取り付けたことを特徴とするローラー。
【手続補正書】
【提出日】平成19年8月17日(2007.8.17)
【手続補正１】
【補正対象書類名】実用新案登録請求の範囲
【補正対象項目名】全文
【補正方法】変更
【補正の内容】
【実用新案登録請求の範囲】
【請求項１】
壁紙のジョイント等を押さえ付ける取っ手付きローラーにおいて、ローラーの取っ手を切り捨て、壁紙を温風で暖めて柔らかくするための温風を吹き出すドライヤー本体を、ローラーの取っ手としてローラー本体に取り付けたことを特徴とするローラー。
(57)【要約】【課題】励起光が試料で反射して生じるレーリー散乱光を再度励起光として利用することにより、感度の良い分光蛍光光度計を供給する。【解決手段】励起分光器により分光された励起光は試料室１に入射し試料Ｓを照射する。一方、試料Ｓの表面での励起光の反射光は散乱光（レーリー散乱光）となりその一部はミラー４で反射され試料Ｓを再度照射する励起光となる。これらの励起光の反射は試料Ｓとミラー４の間で繰り返され多重反射が生起する。特に試料Ｓの表面が鏡面に近い場合は多重反射が生起し易く、励起光の強度が増加する。【選択図】          図１
0003138758.tif 000002
【実用新案登録請求の範囲】
【請求項１】
励起光が照射される試料が設置される試料室と、励起光が照射されて試料から発生する蛍光を分光する蛍光分光器と、この蛍光分光器によって分光された光を検出する検出器と、この検出器からの信号をデータ処理するコンピュータを備え試料の成分を測定する分光蛍光光度計において、前記試料室には試料の受光面に対向配置されるミラーを設置したことを特徴とする分光蛍光光度計。
【考案の詳細な説明】
【技術分野】
【０００１】
本考案は、固体試料の蛍光を測定する分光蛍光光度計に関し、特には、固体試料の蛍光測定感度の向上手段に関する。
【背景技術】
【０００２】
従来、分光蛍光光度計による固体試料の蛍光測定は、図２に示すように、試料室２１内に固体試料ホルダ３を備えた固体試料用の試料台２２を取り付け、試料Ｓを固体試料ホルダ３で保持して行う。詳しくは、固体試料ホルダ３は、試料当たり３０と、試料押さえ３１と、雄ネジ３２と、雌ネジブロック３３で構成され、試料Ｓは試料当たり３０と試料押さえ３１に挟まれ保持される。励起分光器により分光された励起光は試料室２１に入射し試料Ｓを照射する。試料Ｓで発生した蛍光は蛍光分光器で分光され、検出器で電気信号に変換されてコンピュータでデータ処理される。
【０００３】
励起光による散乱光（レーリー散乱光）をできるだけ蛍光分光器に入射させないようにするため、試料Ｓの面から４５°の方向の蛍光ではなく、例えば３０°の方向の蛍光を蛍光分光器に入射させるように構成されている。
【０００４】
従来の構成では、励起光が試料Ｓで反射して生じるレーリー散乱光の多くは、試料室２１の黒壁に当たりそこで吸収されて消滅する。このレーリー散乱光が励起光として再度有効に利用できれば、蛍光測定の感度向上が期待できる。
【０００５】
一方、試料が液体の場合はセルに注入して蛍光が測定される。励起光が開孔を有する凹面鏡を通過してセルに照射され、その透過光がセルの後方に配設された凹面鏡で反射され、再度セルに投射される。再度セルに投射された励起光の一部はセルを透過後開孔を有する凹面鏡で反射され、再びセルに投射される。このような構成においては、当初セルを透過した励起光はセルの後方に配設された凹面鏡と開孔を有する凹面鏡により繰り返しセルに投射されるので蛍光用に利用されるエネルギーは増大し、それだけセルから発する蛍光は強くなる（例えば特許文献１参照）。
【特許文献１】実開平７−２３２４２号公報
【考案の開示】
【考案が解決しようとする課題】
【０００６】
励起光が固体試料で反射して生じるレーリー散乱光を再度励起光として利用することにより、感度の良い分光蛍光光度計を供給する。
【課題を解決するための手段】
【０００７】
励起光が照射される試料が設置される試料室と、励起光が照射されて試料から発生する蛍光を分光する蛍光分光器と、この蛍光分光器によって分光された光を検出する検出器と、この検出器からの信号をデータ処理するコンピュータを備え試料の成分を測定する分光蛍光光度計において、前記試料室には試料の受光面に対向配置されるミラーを設置する。したがって、試料に照射された励起光の反射光がミラーで反射され再度試料に照射される。
【考案の効果】
【０００８】
ミラーの追加により試料に照射される励起光の強度が増加し、蛍光測定感度が向上する分光蛍光光度計を供給することができる。
【考案を実施するための最良の形態】
【０００９】
ミラーは裏面アルミ蒸着の平面鏡であり、固体試料の蛍光測定をする際に試料室に取り付ける試料台に配設される。
【実施例】
【００１０】
本考案の実施例について図１を参照して説明する。図１は、本考案の実施例による分光蛍光光度計の試料室の概略構成図である。本考案の分光蛍光光度計の試料室１は、図１に示すように、試料Ｓを保持する固体試料ホルダ３を備えた固体試料用の試料台２が着脱可能に配設され、試料Ｓと対向してミラー４が試料台２上に配置され構成されている。
【００１１】
固体試料ホルダ３は、試料当たり３０と、雄ネジ３２の先端に摺動可能に取り付けられた試料押さえ３１と、雄ネジ３２の回転運動を直線運動に変換する雌ネジブロック３３で構成される。試料Ｓは試料当たり３０と試料押さえ３１に挟まれて保持される。ミラー４の両側には黒色塗装されたミラー枠５が配設されている。
【００１２】
図示しない励起分光器により分光された励起光は試料室１に入射し試料Ｓを照射する。一方、試料Ｓの表面での励起光の反射光は散乱光（レーリー散乱光）となりその一部はミラー４で反射され試料Ｓを再度照射する励起光となる。これらの励起光の反射は試料Ｓとミラー４の間で繰り返され多重反射が生起する。特に試料Ｓの表面が鏡面に近い場合は多重反射が生起し易く、励起光の強度が増加する。試料Ｓで発生した蛍光は図示しない蛍光分光器で分光され、検出器で電気信号に変換されてコンピュータでデータ処理される。
【００１３】
励起光による散乱光（レーリー散乱光）をできるだけ蛍光分光器に入射させないようにするため、試料Ｓの面から４５°の方向の蛍光ではなく、例えば３０°の方向の蛍光を蛍光分光器に入射させるように構成されている。
【００１４】
本考案は以上の構成であるから、試料Ｓの表面での励起光の反射光の一部はミラー４で反射され試料Ｓを再度照射する励起光となる。これらの励起光の反射は試料Ｓとミラー４の間で繰り返され多重反射が生起し、励起光の強度が増加し、蛍光測定の感度が向上する。
【００１５】
図１に示す実施例では、ミラー４は平面鏡であるが、代わりに凹面鏡で置き換えてもよい。また、ミラー４は一枚構成であるが、複数枚構成としてもよく、本考案は図示例に限定されない。また、ミラー４は試料台２上に配設されているが、試料室１に直接配設される構成でも本考案は適用可能である。このように、装置は種々の構成とすることができ、本考案はこれら変形例を包含する。
【産業上の利用可能性】
【００１６】
本考案は、固体試料の蛍光を測定する分光蛍光光度計に関し、特には、固体試料の蛍光測定感度の向上手段に関する。
【図面の簡単な説明】
【００１７】
【図１】本考案の実施例による分光蛍光光度計の試料室の概略構成図である。
【図２】従来の分光蛍光光度計の試料室の概略構成図である。
【符号の説明】
【００１８】
１  試料室
２  試料台
３  固体試料ホルダ
４  ミラー
５  ミラー枠
２１  試料室
２２  試料台
３０  試料当たり
３１  試料押さえ
３２  雄ネジ
３３  雌ネジブロック
Ｓ  試料
【図１】
0003138758.tif 000003
【図２】
0003138758.tif 000004
(57)【要約】      （修正有）【課題】携帯に便利で、場所を限られずどこでも麻雀教科を習得することができるカード麻雀教科を提供する。【解決手段】複数の薄片形に特に薄片長方形などの薄片四方形カード１からなり、各カードの表面及び表・裏面にそれぞれ教科パターンを描いているカード麻雀教科である。そのカード麻雀教科は薄片形になっているので、体積がよりコンパクトで携帯に便利である上、手で自在に操りながらカード片にある麻雀教科を見ることができ、好きな時に好きな場所で随意にすることができる。【選択図】図１
0003138620.tif 000002
【実用新案登録請求の範囲】
【請求項１】
複数の薄片からなったカード麻雀教科であって、各麻雀カードの表面及び表・裏面にそれぞれの教科パターンが描かれていることを特徴とする、カード麻雀教科である。
【請求項２】
このカード麻雀教科は麻雀アガリ役編、点数計算編、用語編、待ち把握編、練習問題集編、ルール編、マナー編、点数表編、ゲーム手順編、捨て方編、役一覧編が、それぞれ記載されたことを特徴とする、請求項１を記載のカード麻雀教科である。
【請求項３】
前記カード麻雀教科は紙に印刷したものと、汚れ・色消え・文字消え・図解消えを防ぐため、表裏面にマットＰＰ加工・ニス引き加工・ラミネート加工・ビニール加工等がなされているものを特徴とする、請求項１、請求項２を記載のカード麻雀教科である。
【請求項４】
前記カード麻雀教科はプラスチックであることを特徴とする、請求項１、請求項２を記載のカード麻雀教科である。
【請求項５】
前記カード麻雀教科は携帯ができる事を目的とした、請求項１、請求項２、請求項３、請求項４を記載のカード麻雀教科である。
【考案の詳細な説明】
【技術分野】
【０００１】本考案は麻雀教科を特にカード教科に関するものである。
【背景技術】
【０００２】麻雀ゲームは、多種のゲームの中でも人気度が高く、老若男女問わず多くの人に愛好されている。しかし従来の教科本は携帯に不便であり、限られた場所、限られた時間の中でしか学ぶ事が出来ないのが現状であり、不便な点がある。
【考案の開示】
【考案が解決しようとする課題】
【０００３】従来の麻雀教科本は、麻雀ゲームがいまだマイナーという点が存在し、勉学のため場所が特定の場所と特定の時間帯に限られており、好きな時に好きな場所で随意にできない。その点をカード教科で前述の欠点を解決しようとするものである。
【課題を解決するための手段】
【０００４】上記に鑑みて、本考案は場所を限られず、いつどこでも麻雀教科を学ぶことができることを提供することを目的とする。
【考案の効果】
【０００５】この発明の請求項１にかかるカード麻雀教科は、複数の薄片形からなったカード麻雀教科であって、各カード麻雀教科片の表面、表・裏面に教科パターンが描かれていることを特徴とするカード麻雀教科である。【０００６】前記構成によるカード麻雀教科は薄片形になっているので、体積がよりコンパクトで携帯に便利である。手で自在に操りながら片面または両面にあるパターンを見ることができる。特に特定の場所に限らず好きな時、好きな場所で随意に勉学することができる。
【考案の実施するための最良の形態】
【０００７】カード麻雀教科の形状は、横長方形・縦長方形のシート式、折りたたみ式がある。
【０００８】カード麻雀教科の寸法は、携帯できる事が最大の特徴である為、一枚のカードの大きさは５５ｍｍ×９１ｍｍである。
【０００９】カード麻雀教科の文書形式は、各編ごとに横書きと縦書き両方があるカードである。
【００１０】カード麻雀教科の印刷色数は、各編ごとに単色刷りと多色刷りがある。
【００１１】カード麻雀教科は基本的にシート式であるが、紛失を防ぐため脱着自在なリングを使い脱落を止めることができる教科もある。
【図面の簡単な説明】
【００１２】
【図１】横長シート式カードの図で、一枚一枚の各片と全体図である。
【図２】縦長シート式カードの図で、一枚一枚の各片と全体図である。
【図３】折りたたみ式横長カードの図で、左開きと右開きの図である。
【図４】折りたたみ式縦長カードの図で、右開きと左開きの図である。
【符号の説明】
【００１３】    １  カード本体片（横長シート）
２  リング用穴（横長シート）
３  リング（横長シート）
４  カード全体（横長シート）
５  カード本体片（縦長シート）
６  リング用穴（縦長シート）
７  リング（縦長シート）
８  カード全体（縦長シート）
９  カード本体（横長折りたたみ・左開き）
１０  カード本体（横長折りたたみ・右開き）
１１  カード本体（縦長折りたたみ・右開き）
１２  カード本体（縦長折りたたみ・左開き）
【図１】
0003138620.tif 000003
【図２】
0003138620.tif 000004
【図３】
0003138620.tif 000005
【図４】
0003138620.tif 000006
【手続補正書】
【提出日】平成19年10月2日(2007.10.2)
【手続補正１】
【補正対象書類名】実用新案登録請求の範囲
【補正対象項目名】全文
【補正方法】変更
【補正の内容】
【実用新案登録請求の範囲】
【請求項１】
複数の薄片からなったカード麻雀教科であって、各麻雀カードの表面及び表・裏面にそれぞれの教科パターンが描かれていることを特徴とする、カード麻雀教科。
【請求項２】
このカード麻雀教科は麻雀アガリ役編、点数計算編、用語編、待ち把握編、練習問題集編、ルール編、マナー編、点数表編、ゲーム手順編、捨て方編、役一覧編が、それぞれ記載されたことを特徴とする、請求項１に記載のカード麻雀教科。
【請求項３】
前記カード麻雀教科は紙に印刷したものと、汚れ・色消え・文字消え・図解消えを防ぐため、表裏面にマットＰＰ加工・ニス引き加工・ラミネート加工・ビニール加工等がなされているものを特徴とする、請求項１又は、請求項２に記載のカード麻雀教科。
【請求項４】
前記カード麻雀教科はプラスチックであることを特徴とする、請求項１又は、請求項２に記載のカード麻雀教科。
【請求項５】
前記カード麻雀教科は携帯ができる事を目的とした、請求項１、請求項２、請求項３、請求項４のいずれか一項に記載のカード麻雀教科。
(57)【要約】      （修正有）【目的】従来は人力で釣竿をゆっくり上下動させていたものを動力（モーター）を使って釣竿をゆっくり上下動させるそうすることにより体力の消耗がなくなる。【構成】万力９の土台の一方の端に竿受け前部４を取り付け、もう一方の端にモーター１を取り付ける。それにドラム３を取り付け竿受け講部を竿受け用フック７で取り付けたもの。【選択図】図１
0003138616.tif 000002
【実用新案登録請求の範囲】
【請求項１】
万力（９）を土台にして一方の端に竿受け前部（４）を取り付ける。
もう一方の端に小型モーター（１）を乗せ  ドラム（３）を取り付ける。
この時図の様に竿受け本体（６）を逆コの字型に曲げる。
その後部の所をくりぬき（竿受け講部（８））図８の様にその講部にくぼみをつけておく。
その講部（８）に竿受け用フック（７）を図１の様にドラムに取り付ける。又、万力（９）の前頭部（１４）に図１の様な穴（１５）をあけておき釣場が水面よりはるかに高い場合は竿受け本体（６）の前頭部を外し、下の穴（１５）に図９の様なナットボルト（１７）で固定する。
そうすることにより竿先が水面に近づき釣りがよりしやすくなる。
【考案の詳細な説明】
【考案の詳細な説明】
【産業上の利用分野】
【０００１】この考案はサビキ釣や餌釣などに使用する釣道具である。
【背景技術】
【０００２】従来魚釣で釣れる魚は動いている餌に飛びつく習性があり、最近はやりのルアーフィッシングやサビキ釣などもこの習性を利用した釣法である。
また、餌釣で釣を行う場合も同様で  釣用語で「さそう」と言う言葉で表している。
サビキ釣（擬似鈎を５〜１０本ほど１本の糸につけ下にオモリとなるカゴにマキエを入れて  ゆっくりと水中で上下動を繰り返す。そうすることにより魚が釣れる釣法。）
餌釣（１〜３本の鈎に餌をつけてゆっくりと水中で上下動を繰り返す。そうすることにより魚が釣れる釣法。）
上記のような釣法は今まで動力による釣具はなく人力で釣竿をゆっくりと上下動の繰り返しをしていた。
【考案が解決しようとする課題】
【０００３】このように人力で上下動の繰り返しを長時間  長竿で行っていると釣竿が重く体力がもたない。この考案は、それを解決する為小型モーターに竿受を取り付け  その竿受けに釣竿をセットし動力で釣竿の上下動の繰り返しをする釣道具である。
【課題を解決する為の手段】
【０００４】万力（９）を土台にして一方の端に竿受前部（４）を取り付ける。
もう一方の端に小型モーター（１）を乗せドラム（３）を取り付ける。
この時図４のように竿受け本体（６）を逆コの字型に曲げる。
その後部のところをくりぬき（竿受け講部（８））図８のようにその講部にくぼみをつけておく。
その講部に竿受け用フック（７）を図１のようにドラム（３）に取り付ける。
その時
▲１▼竿受け本体（６）を逆コの字型にしておく理由として竿受け本体がまっすぐだと釣竿の真下に竿受けがくる為アタリがあり釣竿を竿受け本体からはずす時、あわてて竿受け本体も一緒につかんでしまう。これを防ぐ為釣竿と竿受け本体との空間をあけておく。
▲２▼図８のように講部（８）にへこみをつけておく理由としてフック部（７）のローラー（１２）が講部のくぼみを通る時水中で擬似鈎や餌が不自然な動きをし、アクションをつけ魚の目につきやすくする為。
▲３▼小型モーター（１）にスイッチをつける。根がかりなどトラブルがあった時、モーターが破損しないように瞬時に止められるようにする。
▲４▼万力（９）を取り付ける理由としてどこにでも取り付けが可能になる。
【作用】
【０００５】この考案は乗合船・ボート・車・電動リール等のバッテリーを使用し、小型モーター（１）がゆっくりと回転することによりドラム（３）が回転する。
それに取り付けた竿受け前部（４）を支点とし竿受け後部（５）が、ゆっくりと上下動する。
竿受けにセットされた釣用竿がゆっくりと上下動を繰り返す。
【実施例】
【０００６】今、仮にドラム（３）直径を７０ｍｍにして図５の矢印の方向に半回転さすと、竿受け用フック（７）の高低差が６０ｍｍになり、この竿受けにセットされた４．５Ｍの釣り竿のホ先は高低差が１．２〜１．５ｍになる。
この時この釣竿にセットされた釣用仕掛け（擬似鈎・餌）は水中で１．２〜１．５ｍ上下動する。
バッテリーに接続しスイッチを入れモーターを回転さすと上下動の繰り返しとなる。
【考案の効果】
【０００７】こうすることにより、自分自身では手で釣竿を上下動させることはなく、上下動している釣竿を見ているだけでよくアタリがあり、魚が釣れれば竿受けから竿をはずし魚を取り込めばよく、体力の消耗がなくなる。
【図面の簡単な説明】
【図１】本考案の斜視図である。
【図２】本考案の右側面図である。
【図３】本考案の左側面図である。
【図４】本考案の平面図である。
【図５】本考案の竿受け後部の図である。
【図６】本考案のドラムと竿受け用フックの平面図である。（ローラー（１２）の所に竿受けの講部（８）が入る）
【図７】本考案の竿受け用フックの分解図である。
【図８】本考案の竿受け講部とくぼみの図である。
【図９】ナット・ボルト
【符号の説明】
１．小型モーター      ２．スイッチ        ３．ド  ラ  ム
４．竿受け前部        ５．竿受け後部      ６．竿受け本体
７．竿受け用フック    ８．竿受け講部      ９．万      力
１０．コード          １１．ワッシャー    １２．ローラー
１３．ボルト          １４．万力の前頭部１５穴
【図１】
0003138616.tif 000003
【図２】
0003138616.tif 000004
【図３】
0003138616.tif 000005
【図４】
0003138616.tif 000006
【図５】
0003138616.tif 000007
【図６】
0003138616.tif 000008
【図７】
0003138616.tif 000009
【図８】
0003138616.tif 000010
【図９】
0003138616.tif 000011
【手続補正書】
【提出日】平成19年10月5日(2007.10.5)
【手続補正１】
【補正対象書類名】実用新案登録請求の範囲
【補正対象項目名】全文
【補正方法】変更
【補正の内容】
【実用新案登録請求の範囲】
【請求項１】
（１）万力（９）を土台にして一方の端に竿受け前部（４）を取り付けもう一方の端に小型モーター（１）を取り付けそのモーターにドラム（３）を取り付けて
（２）竿受け本体（６）を逆コの字型に曲げその後部の所をくりぬき、くぼみをつけておき
（３）そのくりぬいた溝部（８）に竿受け用フック（７）をドラム（３）に取り付ける
（４）万力（９）の前頭部（１４）に穴（１５）をあけておき釣場が水面よりはるかに高い場所で行う場合は竿受け本体（６）の前頭部（１４）を外し穴（１５）にナット・ボルト（１７）で固定する
以上からなる釣具用竿受け
(57)【要約】      （修正有）【課題】ボールペンを上着のポケットに収納時、ペン先を下向きに収納し、インクが芯先より離れてしまうという具合を解消する。【解決手段】キャップ４に落ち止めを付けず、本体６の上部（使用時、キャップを外し、それをボールペンの上部に差し込んでもそれが当たらない位置）に落ち止め７を取り付ける。【選択図】図２
0003138615.tif 000002
【実用新案登録請求の範囲】
【請求項１】
ボールペンのキャップ式のタイプは、服の胸ポケット等に収納時、それが落ちたりせようキャップに「落ち止め策」がしてある。そのキャップの「落ち止め策」を無くし、それに値するものをボールペン本体の上部（使用時にキャップを外しそれを本体の上部し込んでも当たらぬ位置）に取り付ける。
【考案の詳細な説明】
【技術分野】
【０００１】  本考案は、ノック式でないキャップ式ボールペン本体のプラスチックの成型に関する。
【背景技術】
【０００２】  従来のキャップ式ボールペンは、上着のポケットに収納時、キャップに「落ち止め」が施されているのでボールペンの芯先が上向きで固定される。よって、芯が未使用もしくはあまり使用してなくインクが沢山残っている状態なのに、インクが芯先より離れてしまって書けなくなってしまうということが時々ある。これは、収納時のボールペンの向きに原因がある。
【特許文献１】  公開番号特許公開２００３−７２２８４
【考案の開示】
【考案のが解決しようとする課題】
【０００３】  上述の如く、従来のキャップ式ボールペンの「落ち止め」方式では、購入後一度も使用すること無くインクが芯先より離れてしまい、書けなく、そのボールペンを捨てるか芯の交換ということになり、損をし、不愉快な気分を味わう。
【考案を解決するための手段】
【０００４】  キャップに「落ち止め」を取り付けているから上述の如くになるのであって、キャップに「落ち止め」を付けず、本体の上部（使用時、キャップを外しそれをボールペンの上部に差し込んでもそれが当たらない位置）に「落ち止め」を取り付ける。
【考案の効果】
【０００５】  上着のポケットに収納時、ペン先が下向きなので、インクが芯先より離れてしまうという不具合が解消できる。
【考案を実施するための最良の形態】
【０００６】  ［図１］の１を［図１］の２より取り除き、その役割に値するものになる［図２］の５を［図２］の６の上部に取り付ける。尚、ポケットから引き出す時に、ポケットの内側の生地等にキャップの角が引っかかってポケットの中に落ちないよう、［図２］の５を従来にあるサインペンのキャップように面取りをする必要があると思う。
【産業上の利用可能性】
【０００７】  ノック式のボールペンでは、上述のような問題は発生しないが、対価的にそれに比べてキャップ式ボールペンの方が割安なので、まだかなり利用されていると思う。利用者には上述の問題点を日頃感じられていると思われるので、重宝がられると思います。
【図面の簡単な説明】
【０００８】
【図１】［図１］は従来のキャップ式ボールペン。
【図２】は新案ボールペン。
【符号の説明】
【０００９】１  キャップに取り付けてある、ボールペンの落ち止め
２  落ち止め付きキャップ
３  ボールペン本体
４  キャップ
５  キャップの角
６  ボールペン本体
７  ボールペン本体に取り付けた、ボールペン落ち止め
【図１】
0003138615.tif 000003
【図２】
0003138615.tif 000004
【手続補正書】
【提出日】平成19年9月27日(2007.9.27)
【手続補正１】
【補正対象書類名】実用新案登録請求の範囲
【補正対象項目名】全文
【補正方法】変更
【補正の内容】
【実用新案登録請求の範囲】
【請求項１】
ボールペンのキャップ式のタイプは、服の胸ポケット等に収納時、それが落ちたりしないようキャップに「落ち止め」の策がしてあるが、そのキャップの「落ち止め」を無くしそれに値する「落ち止め」を、ボールペン本体の最上部付近に、キャップを外して本体の上部に差し込んでも当たらない位置に取り付ける。
【手続補正２】
【補正対象書類名】明細書
【補正対象項目名】全文
【補正方法】変更
【補正の内容】
【考案の詳細な説明】
【技術分野】
【０００１】  本考案は、ノック式でないキャップ式ボールペン本体のプラスチックの成型に関する。
【背景技術】
【０００２】  従来のキャップ式ボールペンは、上着のポケットに収納時、キャップに「落ち止め」が施されているのでボールペンの芯先が上向きで固定される。よって、芯が未使用もしくはあまり使用してなくインクが沢山残っている状態なのに、インクが逆流し芯先より離れてしまって書けなくなってしまうということが時々ある。これは、収納時のボールペンのペン先の向きに原因がある。【特許文献１】公開番号特許公開２００３−７２２８４
【考案のが解決しようとする課題】
【０００３】上記の如く、従来のキャップ式ボールペンの「落ち止め」方式では、購入後一度も使用すること無くインクが逆流し芯先より離れてしまい、書けなく、そのボールペンを捨てるか芯の交換ということになり、損をし、不愉快な気分を味わう。
【考案を解決するための手段】
【０００４】  キャップに「落ち止め」を取り付けているから上記の如くになるのであって、キャップに「落ち止め」を取り付けず、本体の上部に「落ち止め」を取り付ける。その位置はボールペンの使用時、キャップを外しそれをボールペンの上部に差し込んでもそれが当たらない位置にする。
【考案の効果】
【０００５】  上着のポケットに収納時、ペン先が下向きになるので、インクが逆流し芯先より離れてしまうという不具合が解消できる。
【考案を実施するための最良の形態】
【０００６】［図２］の６を［図２］の７より取り除き、その役割に値するものになる［図１］の１を［図１］の２の上部に取り付ける。尚、ポケットから引き出す時に、ポケットの内側の生地等にキャップの角が引っかかってポケットの中にキャップが落ちないよう、［図１］の３の箇所を面取りする必要があると思う。
【産業上の利用可能性】
【０００７】  ノック式のボールペンでは、ペン先が下を向きポケットに収納されるので上記のような問題は発生しないが、キャップ式ボールペンの方が対価的に割安なので、まだかなり利用されていると思う。利用者には上記の問題点を日頃感じられていると思われるので、重宝がられると思います。
【図面の簡単な説明】
【０００８】
【図１】は新案ボールペン。
【図２】は従来のキャップ式ボールペン。
【符号の説明】
１ボールペン本体に取り付けた、ボールペンの「落ち止め」２ボールペン本体３キャップの角４「落ち止め」を除去したキャップ５ボールペン本体６キャップに取り付けてある、ボールペンの「落ち止め」７「落ち止め」付きキャップ
【手続補正３】
【補正対象書類名】図面
【補正対象項目名】全図
【補正方法】変更
【補正の内容】
【図１】
0003138615.tif 000005
【図２】
0003138615.tif 000006
(57)【要約】      （修正有）【課題】掃除機ホース内に容易に着脱可能な集塵袋の提供。【解決手段】円筒状の集塵袋５が膨らんだ状態を示したものである。上部３には切断線１を有する。下部４より掃除機ホース６に挿入し、上部３の切断線の折り返し箇所２を折り返し、掃除機ホースにゴムバンド等で固定する。切断線の折り返し箇所２の線は本考案の説明のために記入したものであり、実際には特に必要としないものである。【選択図】図１
0003138613.tif 000002
【実用新案登録請求の範囲】
【請求項１】
掃除機ホース（６）の中に装着可能な集塵袋（５）を、下部（４）よりホース内に挿入する。掃除機を稼動させたときに、集塵袋（５）が掃除機に吸い込まれないように、切断線（１）を持つ上部（３）の折り返し箇所（２）を折り返しホース外部に装着する。その後、ゴムバンド等で固定する等、適切な集塵袋（５）の吸い込まれ防止処置を施すことが可能な集塵袋
【考案の詳細な説明】
【背景技術】
【０００１】掃除機の集塵装置は塵、埃、ダニ等を目詰まりを起こさずに強力に吸引し多量を完全に集塵しクリーンな空気を排気させることが重要な課題であり、またたまっている塵、埃、ダニ等を散らさずにクリーンに取り外し廃棄することも合わせて重要な課題である。現在、家庭用掃除機には集めて捨てるという本質的な機能しか求められていない。掃除機用紙パックもそれらの観点からのみ鋭意工夫がなされているのが現状である。
【考案の開示】
【考案が解決しようとする課題】
【０００２】従来の紙パック等の集塵袋は充分な量の塵、埃、ダニ等を集めたのちに廃棄する。充分な集塵をなした後に廃棄するのが経済的である。１回の使用で廃棄することは通常考えられない。しかし、単回の使い捨てを必要とする状況も生活のうえでは充分にありえる。例えば、ゴキブリ、ハエ、蛾等を吸引捕獲し都度捨てることができれば便利である。また逆に益虫であっても家内にいては困るものを吸引捕獲し、外にそれを放つことも従来型の集塵袋では面倒である。また料理用の小麦粉、砂糖、塩等を誤ってこぼした場合の回収も通常の掃除機の集塵袋使用は不可能ではないが躊躇する。ベランダ等の花壇のこぼれた土等の回収にも苦労するところである。以上勘案するに、掃除機本体に装着することなく、容易に着脱可能な集塵袋の必要性があると考えられる。
【課題を解決するための手段】
【０００３】本考案による集塵袋は掃除機のホース内部に容易に装着可能な円筒状の集塵袋である。従って、掃除機の稼動時に掃除機ホースの内径より小さめのほうが好ましい。材質は通常の掃除機において使われる紙パックと同質な紙や台所流しの網状ネット様などと同様のものでよい。集塵袋の長さは吸引する量や対象によるが、ゴキブリ等の害虫等を捕獲する場合は後処理を考慮すると長めのほうが好ましい。集塵袋の材質や長さは用途によっていろいろと考えられる。また、集塵袋が掃除機に吸い込まれない工夫は取り付け位置において切断線の根元を外側に折ってゴムバンドでホースに強くとめるなど安易な方法もあるし、それ以外にもいろいろと考えられる。切断線の長さは特に指定されるものでなく固定されるだけの長さが確保されればよい。また切断線は容易に切断可能なミシン目をつける工夫も可能である。切断の数は所要数に応じればよい
【実施例】
【０００４】以下、図面に基づき、本考案の構成および使用法について説明する。【０００５】図１は本考案の円筒状の集塵袋（５）が膨らんだ状態の側面図（全体図）を示したものである。上部（３）には切断線（１）を有する。下部（４）より掃除機ホース（６）に挿入し、上部（３）の切断線の折り返し箇所（２）を折り返し、掃除機ホースにゴムバンド等で固定する。切断線の折り返し箇所（２）の線は本考案の説明のために記入したものであり、実際には特に必要としないものである。【０００６】図２は掃除機ホース（６）に実際に装着した場合の側面図を示したものである。集塵袋（５）が吸い込まれないように切断線の折り返した部分をゴムバンド等でとめればよい。【０００７】図３は掃除機ホース（６）に実際に装着した場合の掃除機ホースの先端部分（集塵口）（７）の正面図である。（８）は折り返された部分であり、（９）は切断された位置を示した。
【考案の効果】
【０００８】本考案による集塵袋は掃除機の先端につけるものであり、集塵後の事後処理が容易である。集塵対象により、都度取り外し使い捨て廃棄することも可能であり、何回か使用することも可能である。合目的性と経済的な合理性をも兼ね備えていると考えられる。掃除機の集塵は限度まで多量に集塵し廃棄するものとの一般常識を超えた考案であり、掃除機の応用範囲を拡大するものであると考えられる。
【図面の簡単な説明】
【０００９】
【図１】図１は本考案の円筒状の集塵袋の膨らんだ状態での形状を示した側面図（全体図）である。
【図２】図２は掃除機ホースに実際に装着した場合の側面図を示したものである。
【図３】図３は掃除機ホースに実際に装着した場合の吸い込み口の正面図である。
【符号の説明】
【００１０】１  切断線
２  折り返し箇所
３  上部
４  下部
５  集塵袋
６  掃除機ホース
７  掃除機ホース先端部分（集塵口）
８  折り返された部分
９  集塵袋の上部の切断された位置
【図１】
0003138613.tif 000003
【図２】
0003138613.tif 000004
【図３】
0003138613.tif 000005
【手続補正書】
【提出日】平成19年10月2日(2007.10.2)
【手続補正１】
【補正対象書類名】実用新案登録請求の範囲
【補正対象項目名】請求項１
【補正方法】変更
【補正の内容】
【請求項１】
掃除機ホース（６）の中に装着可能な集塵袋（５）を下部（４）よりホース内に挿入し、掃除機を稼動させたときに集塵袋（５）が掃除機に吸い込まれないように切断線（１）を持つ上部（３）の折り返し箇所（２）を折り返し、ホース外部に装着し、ゴムバンド等で固定する等適切な集塵袋（５）の吸い込まれ防止処置を施すことが可能な集塵袋
(57)【要約】      （修正有）【課題】上着の着用時に、携帯音楽プレーヤーのイヤホンコードが邪魔にならす、シンプルな装着機能を持った上着を提供する。【解決手段】上着のラペル裏側で内ポケット上部に釦ホールをかがる。上着のラペル衿穴部分に釦ホールをかがる。イヤホーンコードが二つの釦ホールを貫通できるようにして、内ポケットに入れた携帯音楽プレーヤーとつなげるようにする。【選択図】図３
0003138611.tif 000002
【実用新案登録請求の範囲】
【請求項１】
・上着のラペル裏側で内ポケット上部に釦ホールをかがる。
・上着のラペル衿穴部分に釦ホールをかがる。
・イヤホーンコードが二つの釦ホールを貫通できるようにして、内ポケットに入れた携帯音楽プレーヤーとつなげるようにする。
【考案の詳細な説明】
【技術分野】本考案は、上着の着用時に、携帯音楽プレーヤーや携帯電話などのイヤホーンコードが耳元から、内ポケットまでの間、邪魔にならず、シンプルに収めることが出来るようにしたものである。
【背景技術】従来、上着の着用時に携帯音楽プレーヤーのイヤホーンコードが邪魔になる事が多かった。
【考案の開示】
【考案が解決しようとする課題】
【０００１】従来、上着の着用時に携帯音楽プレーヤーは首から下げたり、胸ポケットや内ポケットに入れて、イヤホーンコードを通して聞いているが、イヤホーンのコードが衿元や、首元で邪魔になる事が多かった。
【課題を解決するための手段】
【０００２】・上着のラペル裏側で内ポケット上部に釦ホールをかがる。
・上着のラペル衿穴部分に釦ホールをかがる。
・イヤホーンコードが二つの釦ホールを貫通できるようにして、内ポケットに入れた携帯音楽プレーヤーとつなげるようにする。
【考案の効果】
【０００３】・内ポケットに入れた携帯音楽プレーヤーや携帯電話のイヤホーンコードが２つの釦ホールを通ってラペルの表側に出てくるため、イヤホーンコードが邪魔にならなくなる。
・イヤホーンコードが衿元や、首元で邪魔になったり、通勤ラッシュ時など他人に引っ掛ったりすることが多かったが、イヤホーンコードが表面に出る部分が少なくなり、音楽鑑賞や語学勉強など集中できるようになる。
・携帯音楽プレーヤーや携帯電話は携帯必需品であり、それを携帯する上で上着に機能性を持たせる事は、新規性とデザイン性がある。
【図面の簡単な説明】
【０００４】
【図１】上着のラペル衿穴位置に釦ホールをかがった図面である。
【図２】上着のラペル裏側で内ポケット上部に前身頃と身返し同時に釦ホールをかがった図面である。
【図３】イヤホーンコードを２つの釦ホールに通して携帯音楽プレーヤーを使用した図面である
【図４】イヤホーンコードを２つの釦ホールに通して携帯音楽プレーヤーを使用した図面である
【符号の説明】
【０００５】１  ラペル釦ホール
２  前身頃と身返し同時貫通釦ホール
３  イヤホーンコード
４  携帯音楽プレーヤー
５  内ポケット
【図１】
0003138611.tif 000003
【図２】
0003138611.tif 000004
【図３】
0003138611.tif 000005
【図４】
0003138611.tif 000006
【手続補正書】
【提出日】平成19年10月2日(2007.10.2)
【手続補正１】
【補正対象書類名】実用新案登録請求の範囲
【補正対象項目名】全文
【補正方法】変更
【補正の内容】
【実用新案登録請求の範囲】
【請求項１】
「上着の携帯音楽プレーヤー・イヤホーン用釦ホールにおいて、
（１）上着のラペル裏側で内ポケット上部に釦ホールをかがる、
（２）上着のラペル衿穴部分に釦ホールをかがる、
（３）イヤホーンコードが二つの釦ホールを貫通できるようにして、内ポケットに入れた携帯音楽プレーヤーとつなげるようにすることを特徴とする釦ホールを有する上着、
以上の構成からなるイヤホーン用釦ホールを有する上着。」
(57)【要約】      （修正有）【課題】ギターを演奏する際に右腕に掛かる負担を低減し心地良さの提供、さらに音質悪化の低減を目的としたギター演奏用補助具を提供する。【解決手段】ギター側板の曲面に合わせた板１に断面が半円状になる棒２を設ける。そして、ギターと接触する部分に厚みのある支持駒を設ける。【選択図】図１
0003138614.tif 000002
【実用新案登録請求の範囲】
【請求項１】
本体中央部に穴を設けた、ギター演奏用補助具
【考案の詳細な説明】
【技術分野】
【０００１】  この考案はギターの曲面に合う形状を持ち、中央部分に穴を設けた、ギター演奏用補助具に関するものである。
【考案の開示】
【考案が解決しようとする課題】
【０００２】  アコースティックギターを演奏する際、右腕を乗せる部分というのは、殆どのギターが角張っており、長時間右腕をそこへ乗せている事は非常に辛いものであった。また汗を良くかく状態で演奏する際は直接肌が触れる部分でもあり、心地悪い思いをする事もあった。さらに何も使用しない場合、直接素肌が表面板と大きな面積接触してしまう為、音質の面でも悪影響を及ぼしてしまう。しかし現在これらを改善させる為の補助具にあたるものが見当たらない。
ハンカチやタオル等をギターの上に乗せて使用する方法もあるが、安定性に欠け、ものによっては非常に違和感を感じる場合も多い。
本考案は右腕への圧迫感の低減と心地よさを提供し、音質悪化の低減を目的になされたものである。
【課題を解決するための手段】
【０００３】  ギター側板の曲面に合わせた板（１）に断面が半円状になる棒（２）を設ける。
そして、ギターと接触する部分に厚みのある支持駒（３ａ）、（３ｂ）を設ける。
本考案は以上のような構成よりなるギター演奏用補助具である。
【考案の効果】
【０００４】  考案は以上のような構造で、これを使用する時は、ギター演奏時、右腕を乗せる部分に曲面を合わせるように装着する。右腕を乗せる位置はそれぞれ異なる為、位置は調整し、使用する。
何も使用しない状態であると、右腕を支える部分がギターボディー角の１点のみであったのと違い、これを装着する事で、右腕を支える部分がギター側板の曲面に合わせた板（１）、断面が半円状になる棒（２）、本来のギターボディー角の３点となり右腕に掛かる負担が低減する。
本体中央部に穴を設けた事で、ボディー角に直接右腕が最小限の面積接触する為、違和感なく使用する事が出来る。また支持駒（３ａ）、（３ｂ）を設ける事により、直接ギターボディーに接触する部分が縮小する事から振動の妨げを減少させ、音質悪化を防止する効果も得られる。
【実施例】
【０００５】  ギター側板の曲面に合わせた板（１）に断面が半円状になる棒（２）を設ける。
そして、ギターと接触する部分に粘着性のある支持駒（３ａ）、（３ｂ）を設ける。
以上のような構成よりなるギター演奏用補助具である。
【図面の簡単な説明】
【０００６】
【図１】本考案の斜視図である。
【図２】本考案の裏面を示す斜視図である。
【図３】本考案の装着状態をを示す斜視図である。
【図４】本考案の使用状態を示す側面図である。
【符号の説明】
【０００７】１  ギター側板の曲面に合わせた板
２  断面が半円状になる棒
３ａ、３ｂ  支持駒
１００  ギター本体
１０１  右腕
【図１】
0003138614.tif 000003
【図２】
0003138614.tif 000004
【図３】
0003138614.tif 000005
【図４】
0003138614.tif 000006
【手続補正書】
【提出日】平成19年9月26日(2007.9.26)
【手続補正１】
【補正対象書類名】実用新案登録請求の範囲
【補正対象項目名】全文
【補正方法】変更
【補正の内容】
【実用新案登録請求の範囲】
【請求項１】
ギターを演奏する際に右腕が乗る部分のギター側面板の曲面Ｒに合わせて曲げた板状部品（１）の前部に断面が半円状になる棒状部品（２）を付けギターと接触する部分に数個の支持駒を設ける。以上のような構造を有するギター演奏用補助具である。
(57)【要約】      （修正有）【課題】スーツの上着を着ない職場や夏場などで、スラックスに携帯電話の収納の機能と、膨らみにくい機能を持ったポケットを付けることにより、現在必需品である携帯電話・ライター・携帯音楽プレーヤー・小銭・キーケース・カードなどが、スラックスの脇ポケットの中に携帯できるようにして、なおかつ、携帯電話ポケットの縫い付け部分が外側に膨らまないようにする。【解決手段】スラックスの脇ポケット袋地をワサ使い２・３・４にして、携帯電話サイズにした小物用ポケット５の縫い付け部分が外側に膨らまないようにする。【選択図】図１
0003138612.tif 000002
【実用新案登録請求の範囲】
【請求項１】
紳士服の組下であるスラックスの脇ポケット内部にに携帯電話が収まるサイズの携帯電話ポケットを付ける。
【請求項２】
スラックスの脇ポケット内部に携帯電話を入れることにより、脇ポケット周辺の外観が膨らんで見えるのを出来限り防ぐ為に、携帯電話ポケットの内側の袋地をワサ取りに加工して、その上に携帯電話ポケットの袋地を縫いつける。
【考案の詳細な説明】
【技術分野】本考案は、携帯電話・ライター・携帯音楽プレーヤー・小銭・キーケース・カードなどの小物を、収納しやすく、落としにくく、膨らみにくい構造のポケットをスラックスの脇ポケット内に装着したものである。
【背景技術】従来はスラックスの脇ポケット内に、携帯電話サイズの小物が入れられるポケットがなかった。
【考案の開示】
【考案が解決しようとする課題】
【０００１】・従来はスラックスの脇ポケット内に、小銭程度の大きさの小物を入れられる忍びポケットは有ったが、携帯電話が入れられる程ではなく、入れられても落ちやすく、外観も膨らんで見え、問題があった。
・スラックスの脇ポケットに直接携帯電話を入れると安定せず重く感じる。
・スーツの上着を着ない職場や夏場は携帯電話を収納する所が限られていた。
【課題を解決するための手段】
【０００２】スラックスに携帯電話サイズのポケットを装着した。
携帯電話ポケットの内側の袋地をワサ取りに加工した。
【考案の効果】
【０００３】スラックスに携帯電話サイズのポケットを装着することにより、
・携帯電話・ライター・携帯音楽プレーヤー・小銭・キーケース・カードなどの小物が収納でき、落としにくい機能なる。
・スーツの上着を着ない職場や、夏場などでも、携帯電話サイズの小物が収納できるようになる。
携帯電話ポケットの内側の袋地をワサ使い加工することで、小物を入れても膨らみにくい機能となり、外観を損なわない。
注文服の場合は、お客様の携帯電話のサイズに合わせた寸法に、携帯電話ポケットを作ることができる。
【図面の簡単な説明】
【０００４】
【図１】スラックス脇ポケットのワサ取り加工を示した平面図と、携帯電話ポケットの地縫い位置を示した図面である。
【図２】携帯電話ポケットの平面図と地縫い位置である。
【図３】［図１］の７部分の断面図である。
【図４】脇ポケットの袋地に、携帯電話ポケットを地縫いし、携帯電話を入れた図面である。
【符号の説明】
【０００５】１  スラックスの脇ポケット袋地
２  脇ポケット袋地のワサ地縫い位置
３  脇ポケット袋地のワサ使い位置
４  脇ポケット袋地のワサ地縫い位置
５  携帯電話ポケット地縫い位置
６  携帯電話ポケット地縫い位置
７  脇ポケット断面位置
８  携帯電話
【図１】
0003138612.tif 000003
【図２】
0003138612.tif 000004
【図３】
0003138612.tif 000005
【図４】
0003138612.tif 000006
【手続補正書】
【提出日】平成19年10月2日(2007.10.2)
【手続補正１】
【補正対象書類名】実用新案登録請求の範囲
【補正対象項目名】全文
【補正方法】変更
【補正の内容】
【実用新案登録請求の範囲】
【請求項１】
紳士服の組下であるスラックスの脇ポケット内部に携帯電話が収まるサイズの携帯電話ポケットが付けられたことを特徴とするスラックス。
【請求項２】
スラックスの脇ポケット内部に携帯電話を入れることにより、脇ポケット周辺の外観が膨らんで見えるのを出来限り防ぐ為に、携帯電話ポケットの内側の袋地をワサ取りに加工して、その上に携帯電話ポケットの袋地が付けられたことを特徴とするスラックス。
(57)【要約】【課題】    本考案は底面吸水機能を有する園芸鉢に市販トレーから水を適度、且つ長期間に渡って供給できるようにした空洞状の底面吸水園芸鉢置台を開発しようとするものである。【解決手段】    本考案は空気出入口４を設けて、水の出入口３より通水を可能にし、内部にも貯水される構造物とした空洞状の底面吸水園芸鉢置台１に吸水布２を被覆。トレー内の水５は毛細管現象により吸水布２を通して底面吸水園芸鉢に供給される。【選択図】図１
0003138619.tif 000002
【実用新案登録請求の範囲】
【請求項１】
空洞状の鉢置台の下部に水の出入口、上部に空気の出入口を設け、表面を吸水布で被覆することを特徴とした底面給水園芸鉢置台
【考案の詳細な説明】
【技術分野】
【０００１】  本考案は底面吸水園芸鉢置台に関するものである。
【背景技術】
【０００２】  従来、鉢植え植物への底面給水は多数の鉢に給水する給水装置と貯水槽を併せもった構造のものが多く個人が利用するには高価で、設置場所が必要であった。
【考案の開示】
【考案が解決しようとする課題】
【０００３】  本考案は従来の高額な装置を安価に省スペース化する底面吸水園芸鉢置台を開発しようとするものである。
【課題を解決するための手段】
【０００４】  上記の目的を達成するため、本考案は市販のトレーを貯水槽とし、その中に吸水布を貼り付けた底面吸水園芸鉢置台を設置する。【０００５】  底面吸水園芸鉢置台の高さ・幅は使用トレー、底面吸水園芸鉢に合わせる。【０００６】  本体内部を貯水槽とするため空洞にし、上下に水・空気の出入口を設け、トレー内の水の通水を計る。
【考案の効果】
【０００７】  市販のトレー等を貯水槽に流用でき吸水布を通して底面吸水園芸鉢に給水する。且つ、本体内部にも貯水槽をもつため貯水の確保ができ、水やりの回数を減らすことができる。
【考案を実施するための最良の形態】
【０００８】  本考案の底面吸水園芸鉢置台を市販トレーに設置。底面吸水園芸鉢置台上部空気出入口より下に水位がくるように水を入れる。毛細管現象によりトレーの水は吸水布を通して底面吸水園芸鉢に供給される。トレーの水が減少したらトレーに水を足す。
【図面の簡単な説明】
【０００９】
【図１】  本考案の一実施形態を示す断面図である。
【符号の説明】
【００１０】１底面吸水園芸鉢置台
２吸水布
３水出入口
４空気出入口
５水
【図１】
0003138619.tif 000003
(57)【要約】【課題】  本考案はフンを直接取ることで、道路・公園の草等をフンで汚さず傷つけず、衛生的に取れ後処理も簡単に出切る、犬のフン取り具を提供するものである。【解決手段】  犬のフン取り具は帯状でポリエチレン等の樹脂シート１の上に吸収性のある紙製マットが重ねられて、ポリエチレンシート１の端には二つ折した際に止める粘着テープ３が取りつけられ、紙製マットの両側には横こぼれ防止のために膜４が付けられていることを特徴とする犬のフン取り具。【選択図】  図３
0003138696.tif 000002
【実用新案登録請求の範囲】
【請求項１】
犬のフン取り具は帯状でポリエチレン等の樹脂シート１の上に吸収性のある紙製マットが重ねられて、ポリエチレンシート１の端には二つ折した際に止める粘着テープ３が取り付けられ、紙製マットの両側には横こぼれ防止のために膜４が付けられていることを特徴とする犬のフン取り具。
【考案の詳細な説明】
【技術分野】
【０００１】
本考案は犬の散歩のとき、道路や公園の草等所かまわず排便する為、素早く簡単に直接取る事で道路や公園の草等汚さず傷つけず衛生的にする、犬のフン取り具に関するものである。
【背景技術】
【０００２】
今までは、一度道路・公園の草等に排便したのを手等で取るため、その場所を汚したり傷付けたり、また、直接取る方法もあるようだが、取り入れ口が小さく確実に取るのに手間がかかり後処理も不便で非衛生的である。
【考案の開示】
【考案が解決しようとする課題】
【０００３】
本考案はフンを直接取ることで、道路・公園の草等をフンで汚さず傷つけず、衛生的に取れ後処理も簡単に出来る、犬のフン取り具を提供するものである。
【課題を解決するための手段】
【０００４】
本考案の犬のフン取り具は帯状でポリエチレン等の樹脂シート１の上に吸収性のある紙製マット２が重ねられ、樹脂シート１の端には二つ折した際に止める粘着テープ３が取り付けられ、紙製マットの両側には横こぼれ防止のために膜が付けられている、犬のフン取り具である。
【考案の効果】
【０００５】
本考案は、犬の排便の時素早く簡単に広げ設置し、フンを直接取ることで道路・公園の草等を汚さず傷つけ無い。これは、外側はポリエチレンの樹脂シートで内側は吸収性のある紙製のため衛生的で、雨天時でも外側が濡れて破れることが無いので使いやすく、また、フンはトイレへ流しフン取り具は丸めてごみとして処理ができ、フン公害のない衛生的な楽しい散歩が出来る。また、子供でも片手でも扱える。
【考案を実施するための最良の形態】
【０００６】
犬のフン取り具は帯状でポリエチレン等の樹脂シート１の上に吸収性のある紙製マット２が重ねられている。例えば、幅は約１５センチ・長さは約３０センチにする。樹脂シート１の端には二つ折した際に両端を重ねて止める粘着テープ３が取りつけられている。また、紙製マットの両側には横こぼれ防止のために膜４が付けられている。二つ折りのフン取り具を帯状に広げフンを中央部で直接取り、後はフンを自宅のトイレに流しフン取り具は丸めてごみとして処理、フン取り具は外側がポリエチレンのため雨の日でも破れず使用でき、道路や公園の草等を汚すことなくきれいに取れて、環境に優しく衛生的な犬のフン取り具である。
【図面の簡単な説明】
【０００７】
【図１】犬のフン取り具を両方に広げた図である。
【図２】（ａ）犬のフン取り具を二つ折りにして畳んだ状態の平面図、（ｂ）は側面図。
【図３】犬が排便する時に、犬の尻の下に置いた状態を示した図である。
【図４】犬がフン取り具の中央に排便した状態の図である。
【図５】排便後フン取り具の両端を摘まんで粘着テープで固定した状態を示す図である。
【符号の説明】
【０００８】
１  フン取り具
２  フン取り具の内側
３  二つ折りした際の粘着テープ
４  横こぼれ防止の膜
５  犬
６  犬のフン
【図１】
0003138696.tif 000003
【図２】
0003138696.tif 000004
【図３】
0003138696.tif 000005
【図４】
0003138696.tif 000006
【図５】
0003138696.tif 000007